(57)【要約】【課題】ＬＣＤユニットの入出力用のフレキシブル印刷基板と少なくともバックライトユニットの入出力用のフレキシブル印刷基板を一体化して電子機器の小型化を図る。【解決手段】ＬＣＤユニット７の入出力用のフレキシブル印刷基板３８ａに設けた接合部３８ｂに少なくともバックライトユニット２６の入出力用のフレキシブル印刷基板４０を接合し、この接合部３８ｂを楔型の導光板４２のデットスペース４９内に設ける。【選択図】      図１
2005024751.tif 000002
【特許請求の範囲】
【請求項１】
液晶表示装置を有する電子機器に於いて、
上記液晶表示装置のフレキシブル印刷基板の入出力端子にエッジライト方式のバックライトのフレキシブル印刷基板の入出力端子を接合させる接合部と、
上記接合部で接合した上記バックライトの入出力を上記液晶表示装置用の１つの入出力端子にまとめた入出力端子とを有し、
上記接合部を上記エッジライト方式のバックライトの導光板の裏側断面が楔状の斜辺部となる所定のスペース位置に配設したことを特徴とする電子機器。
【請求項２】
前記接合部に前記液晶表示装置の前面に設けたタッチパネルのフレキシブル印刷基板の入出力端を接合させて成ることを特徴とする請求項１記載の電子機器。
【請求項３】
エッジライト方式のバックライトを有する液晶表示装置に於いて、
上記液晶表示装置のフレキシブル印刷基板の入出力端子に該エッジライト方式のバックライトのフレキシブル印刷基板の入出力端子を接合する接合部と、
上記接合部で接合した上記バックライトの入出力を上記液晶表示装置用の１つの入出力端子にまとめた入出力端子とを有し、
上記接合部を上記エッジライト方式のバックライトの導光板の裏側断面が楔状の斜辺部となる所定のスペース位置に配設したことを特徴とする液晶表示装置。
【請求項４】
前記接合部に前記液晶表示装置の前面に設けたタッチパネルのフレキシブル印刷基板の入出力端を接合して成ることを特徴とする請求項３記載の液晶表示装置。
【請求項５】
液晶表示装置を有する電子機器の入出力接合方法に於いて、
上記液晶表示装置のフレキシブル印刷基板の入出力端をエッジライト方式のバックライトのフレキシブル印刷基板の入出力に接合させるバックライトのフレキシブル印刷基板接合プロセスと、
上記接合プロセスで接合した上記エッジライト方式のバックライトの入出力を上記液晶表示装置用の１つの入出力にまとめて入出力する入出力プロセスとを有し、
上記接合プロセスを上記バックライトの導光板の裏側断面が楔状の斜辺部となる所定スペース位置で行なう様に成したことを特徴とする電子機器の入出力接合方法。
【請求項６】
前記バックライトのフレキシブル印刷基板接合プロセスと前記液晶表示装置の前面に設けたタッチパネルのフレキシブル印刷基板の入出力端を接合するタッチパネルのフレキシブル印刷基板接合プロセスとから成ることを特徴とする請求項５記載の電子機器の入出力接合方法。
【発明の詳細な説明】
【０００１】
【発明の属する技術分野】
本発明は、液晶表示装置を有する電子機器及び液晶表示装置並びに電子機器の入出力接合方法に関する。
【０００２】
【従来の技術】
従来からコンピュータ用の電子機器等の液晶表示装置等のパネル面に指先やペン先等でタッチした位置を検出する透明導電膜等から成るタッチパネルを設けて、表示装置に表示された情報項目等をタッチすることで、この情報項目を選択可能としたタッチパネルが特許文献１に開示されている。
【０００３】
又、液晶表示装置に用いるエッジライト方式のバックライトとして、合成樹脂導光板の断面形状を略平行板状と成した構成のバックライトが特許文献２に開示されている。
【０００４】
【特許文献１】
特開２００２−９９３８９号公報（図１、段落番号０００１）
【特許文献２】
特開２００２−２３１０３４号公報（図１、段落番号００２０）
【０００５】
【発明が解決しようとする課題】
従来から、液晶表示装置を用いた電子機器や液晶表示装置では液晶表示装置の前面に特許文献１に示す様に透明導電膜から成るタッチパネルユニットを配したものが示され、又特許文献２にはカラーフィルタ、ＴＦＴアレイを生成した二枚のガラス基板間に液晶を封したＬＣＤセルから成る液晶表示装置（以下ＬＣＤユニットと記す）と、非発光性のＬＣＤユニットを発光させる為に外部照明用のバックライトユニットをＬＣＤユニットの背面側に配設する様に成した構成が示されている。
【０００６】
上述のタッチパネルユニット及びＬＣＤユニット並びにバックライトユニットの夫々の入出力を所定の主基板に入出力する場合には、これらの各ユニットからの入出力端子をフレキシブル印刷基板（以下フレキと記す）を介して３個の平型コネクタに接続させた後に主基板に接続する様に構成させていた。
【０００７】
この様に、携帯用の小型電子機器内に、これら３個の各ユニットを別々のコネクタを介して収納させると、かなり大きなスペースを取って機器の小型化が出来なくなる課題を有していた。
【０００８】
本発明は叙上の課題を解消するために成されたものであって、本発明が解決しようとする課題は、エッジライト方式のバックライトユニットに用いる導光板を断面楔状と成し、この導光板の裏面の所定スペースにＬＣＤユニットのフレキに設けた接合部を持ち来たし、この接合部でバックライト又は／及びタッチパネル出力をフレキを介して入出力させて、接合部で少くとも２つの入出力部を１体化することで１つのコネクタを介して主基板に接続可能な電子機器及び液晶表示装置並びに電子機器の入出力接合方法を得ることを目的とするものである。
【０００９】
【課題を解決するための手段】
本発明の電子機器及び液晶表示装置並びに電子機器の入出力接合方法はＬＣＤユニットに用いるエッジライト方式の導光板の断面を楔状と成し、この楔状の導光板の裏面の傾斜部の肉薄部にＬＣＤユニットの入出力用フレキの接合部を配設し、この部分で少くともバックライトの出力フレキを接合させることで、導光板に生ずる小さな隙間を有効利用し、電子機器や液晶表示装置の小型化を図る様に成したものである。
【００１０】
本発明の電子機器は、液晶表示装置を有する電子機器に於いて、液晶表示装置のフレキの入出力端子にエッジライト方式のバックライトのフレキの入出力端子を接合させる接合部と、この接合部で接合したバックライトの出力を液晶表示装置用の１つの入出力端子にまとめた入出力端子とを有し、この接合部をエッジライト方式のバックライトの導光板の裏側断面が楔状の斜辺部となる所定のスペース位置に配設したものである。
【００１１】
本発明の液晶表示装置はエッジライト方式のバックライトを有する液晶表示装置に於いて、液晶表示装置のフレキの入出力端子にエッジライト方式のバックライトのフレキの入出力端子を接合する接合部と、この接合部で接合したバックライトの入出力を液晶表示装置用の１つの入出力端子にまとめた入出力端子とを有し、この接合部をエッジライト方式のバックライトの導光板の裏側断面が楔状の斜辺部となる所定のスペース位置に配設したものである。
【００１２】
本発明の電子機器の入出力接合方法は、液晶表示装置を有する電子機器の入出力接合方法に於いて、液晶表示装置のフレキの入出力端をエッジライト方式のバックライトのフレキの入出力に接合させるバックライトのフレキ接合プロセスと、  この接合プロセスで接合したエッジライト方式のバックライトの入出力を液晶表示装置用の１つの入出力にまとめて入出力する出力プロセスとを有し、接合プロセスをバックライトの導光板の裏側面が楔状の斜辺部となる所定スペース位置で行なう様に成したものである。
【００１３】
本発明の電子機器及び液晶表示装置並びに電子機器の入出力接合方法によれば、タッチパネルユニット、バックライトユニット、ＬＣＤユニットの入出力端子を接合部で１体に接合し、この接合部を楔状の導光板の裏側の肉薄部分に配設させて、小さなスペースを有効に利用し、機器及びＬＣＤの小型化を図る様にしたのでコネクタは１個で済み、組立工数の短縮、コネクタの設置面積の大幅な縮小化を図ることが出来る。
【００１４】
【発明の実施の形態】
以下、本発明の電子機器及び液晶表示装置並びに電子機器の入出力接合方法を図１乃至図７を用いて説明する。
【００１５】
本発明に用いる電子機器として、記録媒体を記録再生する記録媒体駆動ユニット（ＨＤＤ、ＦＤＤ、光ピックアップ駆動ユニット、フラッシュメモリ等）及びＣＣＤ等の撮像手段としてのカメラを筐体内に設けた電子機器について説明する。
【００１６】
図１は本発明の電子機器及び液晶表示装置並びに電子機器の入出力接合方法を示す略線的斜視図、図２は図１のＡ−Ａ矢視方向の側面図、図３は接合部の１接合例を示す平面図、図４は本発明の液晶表示装置の正面斜視図、図５は導光板裏面に設けたフレキシブル印刷基板の配置を示す斜視図、図６は本発明に用いる電子機器及び液晶表示装置の１形態例を示す斜視図、図７は本発明に用いる電子機器及び液晶表示装置の全体的系統図を示すものである。
【００１７】
本発明の上述の図１乃至図５を説明する前に図６及び図７によって本発明の電子機器の全体的構成を説明する。
【００１８】
図６は本発明の電子機器の構成を示すものであり、電子機器とコンピュータ（以下ＣＰＵと記す）間はクレードル（Ｃｒａｄｌｅ）２を介して信号の授受が行なわれる。
【００１９】
図６（Ａ）、（Ｂ）に於いて、１はＨＤＤユニットを内蔵した電子機器を示し、２はＣＰＵとの間で電子機器１で撮像した画像データ等を送受信するための載置架台と成るクレードルである。
【００２０】
電子機器１は本体３となる筐体の下端側に配設した枢軸４に回動自在に枢着されたカメラ部５とで構成される。このカメラ部５は図６（Ｃ）に示す様に枢軸４を中心に本体３に対し略１８０度回転可能でレンズ６を手前側或は背面側までの所定位置に設定することができる。
【００２１】
本体３の前面側には液晶表示装置（以下ＬＣＤユニットと記す）７や各種操作釦群８が配設され、このＬＣＤユニット７のパネル面に透明導電膜等からなるタッチパネルユニット３７が配され、ＬＣＤユニット７と略平行する様に薄型のＨＤＤユニット（図示せず）が配設され、操作釦群８の左側にはＨＤＤアクセス用のＬＥＤ１２等が配設されて、ＨＤＤユニットのアクセス状態の監視を本体３の外側から可能と成されている。
【００２２】
又、図６（Ｃ）の様に本体３の半円状部９がクレードル２の半円状凹部１０に嵌め込まれることで電気的接続が成され、クレードル２の映像端子、音声端子、ＵＳＢ（Ｕｎｉｖｅｒｓａｌ  Ｓｅｒｉａｌ  Ｂａｓ）端子（図７参照）を介してＣＰＵやＣＲＴ等へ入出力される。このクレードル２は充電回路も内蔵され、充電装置とも兼用できて、スタンド１１を介して載置面に対し傾斜して配置可能である。
【００２３】
図７は本発明の電子機器の全体的な系統図であり、図６との対応部分には同一符号を付して説明を進める。
【００２４】
電子機器１のカメラ部５内にはレンズ６の光学系を介して撮像した被写体像をＣＣＤ１３等の撮像素子に投射し、ＣＣＤ１３で電気信号に変換された映像信号、マイクロホンで収音された音声信号等は載置増幅回路１４及びカメラ及音声信号処理回路１５等を介してメインコンピュータで構成した制御回路３６に接続したバスライン１８に供給される。
【００２５】
バスライン１８にはインタフェース２０，２２，２４を介してＨＤＤ（記録媒体駆動ユニット）１９、バッファメモリ２１、メモリカード２３が接続され、制御回路３６を介してバッファメモリ２１やＨＤＤ１９に格納した映像信号や音声信号のデータをモニタ駆動回路１６を介してモニタ用のバックライトユニット２６の導光板４２を有するＬＣＤユニット７に映像信号を表示すると共に、ＬＣＤユニット７のパネル面に設けたタッチパネルユニット３７によってメニュー指示等が行なわれる。又スピーカ駆動回路２７及びスピーカ２８を介して音声信号を放音し、必要に応じてクレードル２内の映像信号処理回路３１、音声信号処理回路３２、インタフェース３３を介して映像信号、音声信号、ＵＳＢ信号を外部に出力する。
【００２６】
クレードル２はプラグ３５を介してＡＣの外部電源３４を電源回路３０でＡＣ−ＤＣ変換し、電子機器１の本体３内に配設した電源回路２５に与えられ、上述の各回路の電圧源として動作させている。
【００２７】
上述の表示装置及び入力装置を構成するバックライトユニット２６内の導光板４２、ＬＣＤユニット７、タッチパネルユニット３７の組立状態を示すパネル面の斜視図を図４に、背面側の導光板上のフレキ３８ａ，３８ｂ，４０，４１を図５に示す。図４及び図５でＬＣＤユニット７を構成する略長方形状パネルの前面には同じく略長方形状のタッチパネルユニット２６の透明導電膜等が配設され、ＬＣＤユニット７の背面側には同じく略直方形状のバックライトユニット２６が配設されている。
【００２８】
バックライトユニット２６の導光板４２の背面に沿わせるフレキを図１乃至図３並びに図５によって説明する。
【００２９】
上述の各図に於いて、タッチパネルユニット３７は感圧式、静電容量変化、抵抗変化等を検出するセンサ上で指先やペン先を触れることで触れた位置情報を入力可能なポインテングデバイスであり、例えば透明基板上に透明導電膜を形成し、導電膜上の４隅に配線取出し用端子を設けてこれらからパターンを形成してフレキ４１に接続させて指先等の指示点位置をフレキ４１にパターニングした通常１０本程度の入出力線を介して入出力される。従来の構成では、この入出力はタッチパネルユニット３７用の入出力コネクタに接続されて主基板等とコネクトされる。
【００３０】
又、ＬＣＤユニット７はＴＦＴをスイッチング素子として用いたアクティブマトリックス表示方式とトランジスタを使用しないパッシブマトリックス表示方式のいずれの方式でもよく、ＬＣＤユニット７はＬＣＤ表示パネルと、このＬＣＤ表示パネルの縁部に設けたデータ及びゲート側の印刷回路基板及びデータ及びゲート側のテープキャリアパッケージ等を含み、これらの入出力線は例えば３０本程度の入出力線を有するフレキ４０を介して主基板側にコネクタ部３９を介して入出力される。
【００３１】
更に、ＬＣＤ表示パネルはマトリックス状の薄膜トランジスタが形成された透明なガラス基板やカラーフィルタ並びに液晶等より構成されている。これらＬＣＤユニット７の入出力端子も従来構成では独立した１コのコネクタ部に接続されていた。
【００３２】
又、更にバックライトユニット２６に用いられる透過型のＬＣＤに於いては、例えばＬＣＤユニット７の下側（図１では上側）に配したバックライトユニット２６はＬＣＤユニット７の表示パネルと略同一の大きさの略矩形状で断面が楔状と成された導光板４２を有し、この導光板４２は図１及び図２の右側面４５Ｒの厚みｔ１が左側面４５Ｌの厚みｔ２より厚く構成され、この導光板４２の上側面４５Ｕ側は右側面４５Ｒから左側面４５Ｌに向かって傾斜した構成と成され、下側面４５ＤはＬＣＤユニット７の平坦面と対向する様に平に配設されている。
【００３３】
本例では、更に導光板４２の右側面４５Ｒの長手方向に沿って白色ＬＥＤ４４等の複数の光源を配設する。
【００３４】
これら複数の光源の個数はＬＣＤユニット７のＬＣＤ表示パネルの大きさや明るさの均衡を考慮して適切に定められる。
【００３５】
この様なバックライトユニット２６からの入出力は従来では独立の１つのコネクタ部に接続されて例えば１０ピン程度の入出力コネクタを介し入出力されていた。
【００３６】
上述の構成で図２の様にバックライトユニット２６の白色ＬＥＤ４４から出射した光４６は導光板４２の上側面４５Ｕの傾斜部分で反射されてＬＣＤユニット７及びタッチパネルユニット３７側に出射する様に成される。
【００３７】
本例ではバックライトユニット２６の入出力線がパターニングされているフレキ４０及び／又はタッチパネルユニット３７の入出力線がパターニングされているフレキ４１をＬＣＤユニット７の入出力線５０がパターニングされている帯状のフレキ３８ａから突出した接合部３８ｂに接合する。
【００３８】
上述の接合部３８ｂは導光板４２の右側面のコーナ４７から下側面４５Ｄに平行に引いた平行線４８と上側面４５Ｕとの間に生ずるスペース（隙間）４９の所定位置に配設する。
【００３９】
図１及び図２ではスペース４９は拡大して表されているが、実際には２．５インチのＬＣＤ表示パネルでのスペース４９の幅は０．３ｍｍ程度である為に従来では電子部品等を配置することが出来ずに完全なデットスペースと成っていたが、本発明ではこの部分を有効利用している。このスペース４９の幅はＬＣＤ表示パネル寸法で変化することは明白である。
【００４０】
この様にスペース４９位置に形成したＬＣＤユニット７からのフレキ３８ａの接合部３８ｂの下側にタッチパネルユニット３７からの導出したフレキ４１及び／又はバックライトユニット２６から導出したフレキ４０の先端を突出した接合部３８ｂの下側に挿入して図３に示す様に例えば、接合用ランド５１部分で熱圧着、半田付け、リフロー、接着剤での接着、接圧等の適宜接合方法で入出力線５０と接続線５３を平面的に接合させる。図３では補強用ランド５２を設けて接合強度を強める様にした場合である。
【００４１】
上述の本発明の電子機器及び液晶表示装置並びに電子機器の入出力接合方法では電子機器としてＨＤＤ等の記録・再生駆動手段とカメラ部を有する比較的厚手の電子機器について説明したが、本発明はＰＤＡや携帯用電話機、ビデオテープレコーダ等のモニタ用のＬＣＤの様に薄型に形成しなければならないものに特に適した効果を奏することは明らかである。勿論、デジタルカメラ、携帯用記録・再生装置、携帯用撮像装置等に適用可能である。又、上述の構成ではフレキシブル印刷基板（フレキ）について説明したが、これらはフレキシブルケーブルの様な可撓性接続部材を含むものである。
【００４２】
【発明の効果】
本発明の電子機器及び液晶表示装置並びに電子機器の入出力接合方法に依れば、タッチパネルユニット、バックライトユニットの入出力用フレキをＬＣＤユニットの入出力用フレキに設けた接合部を楔状導光板で生ずるデットスペースに配設して接合し、１つの入出力コネクタを介して主基板に入出力させる様にしたので機器の小型化が図れると共に１つのコネクタ部で済み、デットスペースの有効利用で設置面積の縮小化が図られ、組立工数の短縮化を行なうことが出来る。
【図面の簡単な説明】
【図１】本発明の電子機器に用いる液晶表示装置のフレキシブル印刷基板の接合方法を説明するための斜視図である。
【図２】図１のＡ−Ａ矢視方向から視た液晶表示装置の略線的側面図である。
【図３】本発明の電子機器のフレキシブル印刷基板の接合方法を示す要部平面図である。
【図４】本発明の電子機器に用いる液晶表示装置のパネル面からみた斜視図である。
【図５】本発明に適用される電子機器に用いる液晶表示装置の背面図である。
【図６】本発明に適用される電子機器の１実施例を示す電子機器本体とクレードルの斜視図である。
【図７】本発明の電子機器の動作説明用のフローチャートである。
【符号の説明】
１‥‥電子機器、２‥‥クレードル、３‥‥本体、４‥‥枢軸、５‥‥カメラ部、７‥‥ＬＣＤユニット、２６‥‥バックライトユニット、３７‥‥タッチパネルユニット、３８ａ‥‥ＬＣＤからのフレキシブル印刷基板、３８ｂ‥‥接合部、３９‥‥コネクタ部、４０‥‥バックライトからのフレキシブル印刷基板、４１‥‥タッチパネルからの印刷基板、４２‥‥導光板、４９‥‥スペース
【図１】
2005024751.tif 000003
【図２】
2005024751.tif 000004
【図３】
2005024751.tif 000005
【図４】
2005024751.tif 000006
【図５】
2005024751.tif 000007
【図６】
2005024751.tif 000008
【図７】
2005024751.tif 000009